(57)【要約】      （修正有）【課題】軒樋の上下方向の取付位置を容易に調整することができる軒樋支持具を提供する。【解決手段】軒先に取り付けられる設置部１Ａと、設置部と接続し、軒樋を下方から支持する支持具本体１Ｂとを備えた軒樋支持具１であって、設置部は、取付部２と、取付部から屈曲して延びる長尺な略角柱状であり、かつ、その一面に水平方向に平行な複数の凸条面部３１を備えた垂下部３とを備え、支持具本体は、貫通中空部４１に垂下部が挿入された状態で垂下部の長手方向に沿って摺動自在な筒状部４と、軒樋を下方から支持する受け部５と、筒状部の外面付近に配設された回動軸部６と、回動軸部を支軸として回動自在であり、かつ、凸条面部と対向する面に凸条と嵌合可能な嵌合部７５を備えた固定部７とを備え、固定部を凸条面部に近づく方向に回動させて凸条と嵌合部とを嵌合させると、筒状部の摺動が阻止された状態で設置部に支持具本体が固定される。【選択図】図１
2016211262.tif 000002
【特許請求の範囲】
【請求項１】
軒先に取り付けられる設置部と、前記設置部と接続し、軒樋を下方から支持する支持具本体とを備えた軒樋支持具であって、
前記設置部は、
軒先に固定される取付部と、
前記取付部から屈曲して延びる長尺な略角柱状であり、かつ、その一面に水平方向に平行な複数の凸条が長手方向に連続して形成された凸条面部を備えた垂下部と、
を備え、
前記支持具本体は、
中央付近に貫通中空部を有する筒状であり、かつ、前記貫通中空部に前記垂下部が挿入された状態で前記垂下部の長手方向に沿って摺動自在な筒状部と、
前記筒状部から側方に突出し、前記軒樋を下方から支持する受け部と、
前記筒状部の外面付近に配設された回動軸部と、
前記回動軸部を支軸として前記垂下部の前記凸条面部に近づく方向および離れる方向に回動自在であり、かつ、前記凸条面部と対向する面に前記凸条と嵌合可能な嵌合部を備えた固定部と
を備え、
前記固定部を前記凸条面部に近づく方向に回動させて前記凸条と前記嵌合部とを嵌合させると、前記筒状部の摺動が阻止された状態で前記設置部に前記支持具本体が固定されることを特徴とする軒樋支持具。
【請求項２】
前記筒状部の側面には開口部が形成されており、前記垂下部の前記凸条面部は前記開口部と対向しており、前記凸条と前記嵌合部とを嵌合させることで、前記開口部が前記固定部によって閉鎖されることを特徴とする請求項１に記載の軒樋支持具。
【請求項３】
前記設置部および前記支持具本体が樹脂製であることを特徴とする請求項１または２に記載の軒樋支持具。
【発明の詳細な説明】
【技術分野】
【０００１】
本発明は、軒樋支持具に関する。
【背景技術】
【０００２】
従来、軒樋の取付位置を調整することができる軒樋支持具が知られている。例えば、特許文献１には、前方立上片と底片と後方立上片とで略Ｕ字形に形成された樋受杆と、該樋受杆の後方立上片を取り付ける樋受杆取付部と軒先に取り付けられる軒先取付部とを有する取付杆とを備えた軒樋支持具が記載されている。この軒樋支持具は、樋受杆取付部に、樋受杆取付部の長手方向に長い長孔が設けられ、後方立上片の上端に固定孔が設けられている。また、長孔内を摺動可能な回り止め突起が設けられ、固定孔が長孔と重合されており、回り止め突起が長孔に挿入され、固定孔と長孔にボルトが挿通されており、このボルトとナットが螺合されて樋受杆と取付杆とが締結固定されている。この軒樋支持具は、ボルトと蝶ナットの螺合を緩めて、ボルトと回り止め突起を長孔内で摺動させることによって、樋受杆の位置を上下方向に調整できるようになっている。
【先行技術文献】
【特許文献】
【０００３】
【特許文献１】特開平8−49372号公報
【発明の概要】
【発明が解決しようとする課題】
【０００４】
しかしながら、特許文献１の軒樋支持具の場合、ボルトとナットの螺合を緩めてから、軒樋（樋受杆）の上下方向の取付位置を調整し、再度、ボルトとナットとを螺合させる必要がある。このため、軒樋の位置の調整作業が煩雑であり、施工性が十分であるとは言い難い。
【０００５】
本発明は、以上のとおりの事情に鑑みてなされたものであり、軒樋の上下方向の取付位置を容易に調整することができる軒樋支持具を提供することを課題としている。
【課題を解決するための手段】
【０００６】
上記の課題を解決するために、本発明の軒樋支持具は、軒先に取り付けられる設置部と、前記設置部と接続し、軒樋を下方から支持する支持具本体とを備えた軒樋支持具であって、
前記設置部は、
軒先に固定される取付部と、
前記取付部から屈曲して延びる長尺な略角柱状であり、かつ、その一面に水平方向に平行な複数の凸条が長手方向に連続して形成された凸条面部を備えた垂下部と、
を備え、
前記支持具本体は、
中央付近に貫通中空部を有する筒状であり、かつ、前記貫通中空部に前記垂下部が挿入された状態で前記垂下部の長手方向に沿って摺動自在な筒状部と、
前記筒状部から側方に突出し、前記軒樋を下方から支持する受け部と、
前記筒状部の外面付近に配設された回動軸部と、
前記回動軸部を支軸として前記垂下部の前記凸条面部に近づく方向および離れる方向に回動自在であり、かつ、前記凸条面部と対向する面に前記凸条と嵌合可能な嵌合部を備えた固定部と
を備え、
前記固定部を前記凸条面部に近づく方向に回動させて前記凸条と前記嵌合部とを嵌合させると、前記筒状部の摺動が阻止された状態で前記設置部に前記支持具本体が固定されることを特徴としている。
【発明の効果】
【０００７】
本発明の軒樋支持具は、軒樋の上下方向の取付位置を容易に調整することができる。
【図面の簡単な説明】
【０００８】
【図１】本発明の軒樋支持具の一実施形態を例示した分解斜視図および部分拡大図である。
【図２】本発明の軒樋支持具の一実施形態を例示した斜視図である。
【図３】図２に例示した軒樋支持具に軒樋を取り付けた状態を例示した斜視図である。
【図４】図１〜図３に例示した軒樋支持具において、設置部に支持具本体が固定された状態を例示した斜視図である。
【図５】図４に例示した軒樋支持具における筒状部の内部を示した断面図である。
【発明を実施するための形態】
【０００９】
図１は、本発明の軒樋支持具の一実施形態を例示した分解斜視図および部分拡大図である。図２は、本発明の軒樋支持具の一実施形態を例示した斜視図である。図３は、図２に例示した軒樋支持具に軒樋を取り付けた状態を例示した斜視図である。
【００１０】
軒樋支持具１は、軒先に取り付けられる設置部１Ａと、設置部１Ａと接続し、軒樋８（図３に図示）を下方から支持する支持具本体１Ｂとを備えている。設置部１Ａおよび支持具本体１Ｂは樹脂製であることが好ましく、これによって、設置部１Ａと支持具本体１Ｂの寸法精度を高めることができる。
【００１１】
設置部１Ａは、取付部２と垂下部３とを備えている。
【００１２】
取付部２は、略水平方向に長い板状であり、ネジなどの固定具Ｔ（図２、図３に図示）によって例えば軒先の垂木や鼻隠し（図示していない）などに固定される。取付部２には、固定具Ｔを挿入するための貫通孔２１が長尺方向に沿って等間隔に設けられている。
【００１３】
垂下部３は、取付部２の屋外側の端部２aから下方に向かって屈曲して延びる長尺な略板状であり、その外面のうちの一面に凸条面部３１を備えている。凸条面部３１は、水平方向に平行な複数の凸条３２が、垂下部３の長手方向（上下方向）に亘って連続して形成されている。凸条３２は、水平方向に突出する水平部３２aと、水平部３２aの先端から内側斜め下方に向かって鋭角に傾斜する切込面部３２bとによって形成されており、上下に隣接する水平部３２aと切込面部３２bとの間には鋭角に窪む第１溝部３２cが形成されている。また、すべての凸条３２において、水平部３２aの突出長さ（先端位置）および切込面部３２bの傾斜角度は略一致している。
【００１４】
支持具本体１Ｂは、筒状部４と、受け部５と、回動軸部６と、回動固定部７とを備えている。
【００１５】
筒状部４は略角筒状であり、中央に上下方向に連通する角柱状の貫通中空部４１が形成されている。貫通中空部４１の水平方向断面の大きさ、形状は垂下部３の外形と対応している。このため、図２に例示したように、貫通中空部４１には垂下部３を挿通することができる。そして、貫通中空部４１に垂下部３が挿通された状態において、筒状部４は垂下部３の長手方向（上下方向）に沿って摺動自在とされている。
【００１６】
また、筒状部４の側面のうちの一面４Ａには、貫通中空部４１と外部とを連通する略矩形状の開口部４２が形成されている。図２および図３に図示したように、貫通中空部４１に垂下部３が挿入された状態において、垂下部３の凸条面部３１は開口部４２と対向している。
【００１７】
筒状部４の屋外側の面４Ｂには、軒樋８の耳部８２を保持する第１耳保持部４３が配設されている。第１耳保持部４３は、筒状部４から突出する断面略三角形状であり、水平方向に細長状に形成されている。
【００１８】
受け部５は、筒状部４から側方に突出して下方に湾曲する湾曲部５１と、湾曲部５１の先端部５１aに設けられた第２耳保持部５２とを備えている。湾曲部５１の形状は、軒樋８の下面の形状と対応しており、軒樋８を下方から支持することができる。湾曲部５１の基端部５１ｂと第１耳保持部４３との間には、第１耳保持空間Ｓ１が形成されている。
【００１９】
第２耳保持部５２は、湾曲部５１の先端部５１aから水平方向外側に突出する水平段部５２aと、水平段部５２aの端部から上方に屈曲する上片部５２bと、上片部５２bの上端部から筒状部４側に突出する爪部５２cとを有している。第２耳保持部５２は、水平段部５２aと爪部５２cとの間に耳保持空間Ｓ２が形成されている。
【００２０】
図３に例示したように、この実施形態の軒樋支持具１によって支持される軒樋８は、軒樋本体８３と、軒樋本体８３の上端縁８３aの外側に設けられた耳部８１、８２を備えている。軒樋本体８３の一対の上端縁８３aは、互いに対向し、長尺方向に向かって略平行に延びており、この上端縁８３aの外側に沿って、屋外側の耳部８１と軒先側の耳部８２が形成されている。
【００２１】
軒樋８は、軒樋本体８３が軒樋支持具１の受け部５の湾曲部５１によって下方から支持される。また、軒樋８の軒先側の耳部８２は第１耳保持空間Ｓ１に挿入され、湾曲部５１の基端部５１ｂと第１耳保持部４３とによって挟持される。軒樋８の屋外側の耳部８１は第２耳保持空間Ｓ２に挿入され、水平段部５２aと爪部５２cとによって挟持される。これによって、軒樋８が軒樋支持具１に安定的に支持される。
【００２２】
回動軸部６は、開口部４２が形成された筒状部４の側面に設けられている。具体的には、回動軸部６は、筒状部４の開口部４２の上縁部付近の左右両端に設けられた一対の支持部６１と、この一対の支持部６１を水平方向に連結する軸受け部６２とを備えている。軸受け部６２は、受け部５の突出方向と略平行に配置されている。
【００２３】
固定部７は、上端が回動軸部６に保持されており、回動軸部６を支軸として垂下部３の凸条面部３１に近づく方向および離れる方向（図１中の矢印Ｙ）に回動自在である。具体的には、固定部７は、軸保持部７１と、嵌合片７２と、弾性部７３と、把持部７４とを有している。
【００２４】
軸保持部７１は、一対の支持部６１の間に挿入され、軸受け部６２が挿通されている。
【００２５】
嵌合片７２は、軸保持部７１から外方に延出する略矩形状であり、筒状部４の開口部４２の幅、長さと略対応している。また、嵌合片７２には、凸条面部３１との対向する面に、鋭角に突出し、かつ、嵌合片７２の幅方向に平行な嵌合部７５が連続して設けられている。
【００２６】
嵌合部７５は、凸条３２と嵌合可能な形状を有している。具体的には、嵌合部７５は、嵌合片７２から外側斜め下方に向かって突出する傾斜凸部７５aと、この傾斜凸部７５aの先端から水平方向内側に向かって延びる底面部７５bとによって形成されており、上下に隣接する傾斜凸部と底面部７５bとの間には鋭角に窪む第２溝部７５cが形成されている。また、すべての傾斜凸部７５aの突出長さ（傾斜凸部７５aの先端位置）および傾斜角度は略一致している。
【００２７】
さらに、この実施形態では、嵌合片７２の傾斜凸部７５aの突出長さと、凸条面部３１の凸条３２の水平部３２aの突出長さは略一致しており、嵌合片７２の傾斜凸部７５aと凸条３２の切込面部３２bの傾斜角度も略一致している。また、隣接する凸条３２同士の間隔と、隣接する傾斜凸部７５a同士の間隔も略一致している。
【００２８】
弾性部７３は、嵌合片７２の下端部から、嵌合部７５が形成されている側に向かって略U字状に湾曲して突出している。具体的には、弾性部７３は、嵌合片７２の下端部から嵌合部７５が形成されている側に向かって突出する第１湾曲部７３aと、把持部７４から嵌合部７５が形成されている側に突出して頂部Ｐで第１湾曲部７３aと接続する第２湾曲部７３bとを有している。また、第２湾曲部７３bには、下側に向かって突出するリブ７６が設けられている。
【００２９】
把持部７４は、弾性部７３の第２湾曲部７３bの下端部から略直角に屈曲して突出している。把持部７４を手で把持することで、固定部７の回動を容易に操作することができる。
【００３０】
図４は、図１〜図３に例示した軒樋支持具において、設置部に支持具本体が固定された状態を例示した斜視図である。図５は、図４に例示した軒樋支持具における筒状部の内部を示した断面図である。
【００３１】
軒樋８は、軒樋支持具１の支持具本体１Ｂの受け部５によって下方から支持されている。筒状部４の貫通中空部４１に挿入されている垂下部３の長手方向（上下方向）に沿って筒状部４を上下に摺動させることで、軒樋８の上下方向の取付位置を調節することができる。そして、軒樋８を所望の取付位置に配置した後、回動軸部６を支軸として固定部７を凸条面部３１に近づく方向（下方向）に回動させることで、垂下部３の凸条３２と固定部７の嵌合片７２の嵌合部７５とを嵌合させることができる。これによって、筒状部４の開口部４２が固定部７の嵌合片７２によって閉鎖され、筒状部４の上下方向の摺動が阻止された状態で、設置部１Ａに軒樋支持具１が固定される。
【００３２】
具体的には、図５に例示したように、凸条面部３１の第１溝部３２cに嵌合片７２の嵌合部７５が挿入され、かつ、嵌合片７２の第２溝部に凸条３２が挿入されることで、垂下部３の凸条３２と固定部７の嵌合片７２の嵌合部７５とが嵌合する。この時、凸条３２の水平部３２aと嵌合片７２の底面部７５bとが互いに当接しており、凸条３２の切込面部３２bと嵌合片７２の傾斜凸部７５aとが互いに当接している。
【００３３】
また、弾性部７３は、筒状部４の開口部４２の下方付近に挿入されており、嵌合片７２を上方向に付勢している。このため、嵌合片７２は筒状部４の開口部４２から脱離し難く、開口部４２内で安定に保持されている。さらに、弾性部７３の第２湾曲部７３bに設けられたリブ７６が筒状部４の開口部４２の下縁部に当接するため、嵌合片７２および弾性部７３が所定の位置に挿入されて安定的に保持される。さらに、筒状部４の開口部４２の下縁部と把持部７４との間には隙間Ｆが形成されているため、筒状部４の開口部４２が固定部７の嵌合片７２によって閉鎖された後も、把持部７４を手で把持しやすい構造になっている。
【００３４】
このように、垂下部３の長手方向に沿って筒状部４を上下に摺動させることで、受け部５に支持された軒樋８の上下方向の取付位置を調節することができる。そして、垂下部３の凸条面部３１と固定部７の嵌合片７２とを嵌合させることで、筒状部４の上下方向の摺動が阻止された状態で設置部１Ａに支持具本体１Ｂを固定することができる。このため、軒樋支持具１は、軒樋８の上下方向の取付位置の調整が容易であり、施工性に優れている。さらに、設置部１Ａに支持具本体１Ｂが固定された状態では、筒状部４の開口部４２が固定部７の嵌合片７２によって閉鎖されるため、嵌合片７２が開口部４２内で安定に保持され、見栄えも良好である。
【００３５】
また、例えば、一旦取り付けた軒樋８の取り付け位置を調整する場合には、固定部７の把持部７４を把持して、固定部７全体を凸条面部３１から離れる方向（上方向）に回動させることで、筒状部４の開口部４２から固定部７を離脱させる。これによって、垂下部３の凸条面部３１と嵌合片７２の嵌合部７５との嵌合が解除され、再び筒状部４が垂下部３の長手方向（上下方向）に沿って摺動自在な状態となる。このため、筒状部４を摺動させて軒樋８の上下方向の取付位置を調整した後、再度、垂下部３の凸条面部３１と固定部７の嵌合片７２とを嵌合させることで、設置部１Ａに支持具本体１Ｂを固定することができる。
【００３６】
本発明の軒樋支持具１は、軒先に取り付けられる設置部１Ａと、設置部１Ａと接続し、軒樋８を下方から支持する支持具本体１Ｂとを備えている。
【００３７】
設置部１Ａは、以下の構成を有している。軒先に固定される取付部２。取付部２から屈曲して延びる長尺な略角柱状であり、かつ、その一面に水平方向に平行な複数の凸条３２が長手方向に連続して形成された凸条面部３１を備えた垂下部３。
【００３８】
支持具本体１Ｂは、以下の構成を以下の構成を有している。中央付近に貫通中空部４１を有する筒状であり、かつ、貫通中空部４１に垂下部３が挿入された状態で垂下部３の長手方向に沿って摺動自在な筒状部４。筒状部４から側方に突出し、軒樋８を下方から支持する受け部５。筒状部４の外面付近に配設された回動軸部６。回動軸部６を支軸として垂下部３の凸条面部３１に近づく方向および離れる方向に回動自在であり、かつ、凸条面部３１と対向する面に凸条３２と嵌合可能な嵌合部７５を備えた固定部７。
【００３９】
固定部７を凸条面部３１に近づく方向に回動させて凸条３２と嵌合部７５とを嵌合させると、筒状部４の摺動が阻止された状態で設置部１Ａに支持具本体１Ｂが固定される。
【００４０】
また、この軒樋支持具１では、筒状部４の側面には開口部４２が形成されており、垂下部３の凸条面部３１は開口部４２と対向しており、凸条３２と嵌合部７とを嵌合させることで、開口部４２が固定部７によって閉鎖されることが好ましい。
【００４１】
本発明の軒樋支持具は、以上の実施形態に限定されることはない。例えば、垂下部の凸条面部の凸条および固定部の嵌合片の嵌合部の形状、間隔、大きさなどは適宜設計することができる。また、回動軸部の配設位置も特に限定されず、例えば開口部の側端縁付近に設けることもできる。さらに、固定回動部は、凸条面部に近づく方向および離れる方向に回動自在であればよく、例えば、開口部の側端縁付近に縦方向に設けた回動軸部を支軸として水平方向（左右方向）に回動する形態とすることもできる。垂下部の凸条面部は、垂下部の一面全体に設けられている必要はなく、部分的に設けられていてもよい。さらに、本発明の軒樋支持具によって支持される軒樋の形態も特に限定されず、例えば角樋などであってもよい。
【符号の説明】
【００４２】
１    軒樋支持具
１Ａ  設置部
１Ｂ  支持具本体
２    取付部
３    垂下部
３１  凸条面部
３２  凸条
４    筒状部
４１  貫通中空部
４２  開口部
５    受け部
６    回動軸部
７    固定部
７５  嵌合部
８    軒樋
【図１】
2016211262.tif 000003
【図２】
2016211262.tif 000004
【図３】
2016211262.tif 000005
【図４】
2016211262.tif 000006
【図５】
2016211262.tif 000007